(57)【要約】【課題】  処置具を使用中でも，送水された洗浄液が処置具導入口側に逆流することなく，十分に挿入部側に送液することの可能な内視鏡を提供する。【解決手段】  体腔内に挿入される挿入部１０４と，この挿入部の湾曲操作等を行う操作部１０２とを備える内視鏡１００であって，挿入部に配設される処置具挿通用管路１２２と，操作部に配設される処置具導入口１１４から延出され，処置具挿通用管路に接続される処置具導入用管路１３０と，操作部に配設される送液口１１６から延出される送液用管路１３４と，を備える内視鏡において，送液用管路は，処置具導入用管路より操作部の先端側で処置具挿通用管路へ接続され，かつ送液用管路の送液方向が処置具挿通用管路の先端側に向かう方向に対して鋭角をなしていることを特徴とする。【選択図】    図２
2005185522.tif 000002
【特許請求の範囲】
【請求項１】
体腔内に挿入される挿入部と，この挿入部の湾曲操作等を行う操作部とを備える内視鏡であって，
前記挿入部に配設される処置具挿通用管路と，
前記操作部に配設される処置具導入口から延出され，前記処置具挿通用管路へ接続される処置具導入用管路と，
前記操作部に配設される送液口から延出される送液用管路と，を備え，
前記送液用管路は，前記処置具導入用管路より前記操作部の先端側で前記処置具挿通用管路へ接続され，かつ前記送液用管路の送液方向が前記処置具挿通用管路の先端側に向かう方向に対して鋭角をなしていることを特徴とする，内視鏡。
【請求項２】
前記送液用管路は，前記処置具導入用管路と前記処置具挿通用管路の周方向に対して鋭角をなす角度で前記処置具挿通用管路と接続されていることを特徴とする，請求項１に記載の内視鏡。
【請求項３】
体腔内に挿入される挿入部と，この挿入部の湾曲操作等を行う操作部とを備える内視鏡であって，前記挿入部に配設される処置具挿通用管路と，前記操作部に配設される処置具導入口から延出され，前記処置具挿通用管路へ接続される処置具導入用管路と，前記操作部に配設される送液口から延出される送液用管路と，を備える内視鏡の管路構造において，
前記処置具導入用管路より前記操作部の先端側で前記処置具挿通用管路へ接続され，かつ送液方向が前記処置具挿通用管路の先端側に向かう方向に対して鋭角をなしていることを特徴とする，内視鏡の管路構造。
【発明の詳細な説明】
【技術分野】
【０００１】
本発明は，内視鏡及び内視鏡の管路構造の構成に関し，特に内視鏡の送液管路の構成に関する。
【背景技術】
【０００２】
内視鏡は，一般に操作部に体腔内等へ挿入される挿入部が連接され，また操作部からコネクタ部等に接続するためのユニバーサルコードを引き出すことにより構成される。挿入部は，操作部への連接部から大半の長さを占める導入部と，この導入部の先端側に連接され，操作部からの遠隔操作により任意の方向に湾曲操作される湾曲部と，この湾曲部の先端側に連接され，被検体の画像を取り込む観察系，被検体に向けて照明光を発する照明系，先端部の先端側の汚れを洗浄するための送気／送水機構等の各種機能を有する先端部とを備える。なお，上記の導入部は，内視鏡の使用目的により，軟性部で構成される場合，硬性部で構成される場合，またはこれら両者の組み合わせで構成される場合がある。
【０００３】
また，内視鏡の挿入部内には，鉗子等の処置具を誘導するための処置具挿通用管路が設けられている。また，この処置具挿通用管路は，操作部に備わる吸引用バルブと吸引用管路を介して接続させることにより，吸引用チャンネルとしても利用される。そこで，挿入部に備わる処置具挿通用管路と，操作部に備わる処置具導入口から延出される処置具導入用管路及び吸引用管路を接続するため，それらの間には，三方向に分岐した３つの通路を形成した三股状の連結用の分岐ブロック部材である分岐部が設けられている。
【０００４】
内視鏡検査においては，観察像を明確に見えるようにするために，内視鏡の挿入部を体腔内に挿入した状態で，挿入部内に配設されたチャンネルを用いて被検査体への洗浄水の送水や，色素散布を行って微小な凹凸にコントラストをつけることが慣用されている。洗浄水送水や色素散布を行うために，専用の送液用チャンネルを装備したものも開発されたが，このような構成にすると，送液用チャンネルを設けた分，挿入部の径が太くなるという欠点があった。
【０００５】
これを解決するために，上述の送液用チャンネルを設けずに，上記の吸引用管路の途中に洗浄液等を注入するための注入口を設けることにより，この注入口が吸引用管路を介して挿入部に備わる処置具挿通用管路に連通されて，吸引用チャンネルを送液に利用することができる内視鏡が開示されている（例えば，特許文献１を参照）。この特許文献１に開示されている内視鏡によれば，専用の送液チャンネルを用意しなくても送液や色素散布が可能になる。
【０００６】
【特許文献１】特開平７−１９４５２１号公報
【発明の開示】
【発明が解決しようとする課題】
【０００７】
しかしながら，上述の特許文献１に開示されている内視鏡１０は，図６（ａ）に示すように，操作部１２内に配設された吸引用管路１４の途中の部位に洗浄液等を注入するための注入口１６が設けられている。換言すると，挿入部１８に備わる処置具挿通用管路２０と，操作部１２に備わる処置具導入口２２から延出される処置具導入用管路２４及び吸引用管路１４を接続するための分岐部２６が注入口１６より挿入部側，すなわち操作部１２の先端側に配置されることとなる。
【０００８】
このため，注入口１６から洗浄液等を送水すると，図６（ｂ）に示すように，送水した洗浄液の一部が処置具導入用管路２４側に送水されてしまう。このとき，処置具使用中の場合，注入口１６から送水された洗浄液が処置具導入用管路２４を逆流して処置具導入口２２から漏れ出てしまう虞があり，挿入部１８に備わる処置具挿通用管路２０へ十分に洗浄液等が送水されない。
【０００９】
そこで，本発明は，従来の内視鏡が有する上記問題点に鑑みてなされたものであり，本発明の目的は，処置具を使用中でも，送水された洗浄液が処置具導入口２２側に逆流することなく，十分に挿入部側に送液することの可能な，新規かつ改良された内視鏡を提供することである。
【課題を解決するための手段】
【００１０】
上記課題を解決するために，本発明のある観点によれば，体腔内に挿入される挿入部と，この挿入部の湾曲操作等を行う操作部とを備える内視鏡であって，挿入部に配設される処置具挿通用管路と，操作部に配設される処置具導入口から延出され，処置具挿通用管路へ接続される処置具導入用管路と，操作部に配設される送液口から延出される送液用管路と，を備え，送液用管路は，処置具導入用管路より操作部の先端側で処置具挿通用管路へ接続され，かつ送液用管路の送液方向が処置具挿通用管路の先端側に向かう方向に対して鋭角をなしていることを特徴とする，内視鏡が提供される。
【００１１】
このような構成とすることにより，処置具導入口から処置具を挿入して使用している最中でも，送水された洗浄液が処置具導入口から延出される処置具導入用管路を逆流して処置具導入口へ漏れ出ることを防止できるので，十分に挿入部側に送液することが可能になる。
【００１２】
このとき，送液用管路は，処置具導入用管路と処置具挿通用管路の周方向に対して鋭角をなす角度で処置具挿通用管路と接続されていることとしてもよい。
【００１３】
このような構成とすることにより，処置具導入口から処置具を挿入して処置具挿通用管路へ挿通させる際に，送液用管路と処置具挿通用管路との接続部位の内側に形成される凹部に処置具が引っかかることによる作業効率の低下を防止できる。
【００１４】
また，上記課題を解決するために，本発明の別の観点によれば，体腔内に挿入される挿入部と，この挿入部の湾曲操作等を行う操作部とを備える内視鏡であって，挿入部に配設される処置具挿通用管路と，操作部に配設される処置具導入口から延出され，処置具挿通用管路へ接続される処置具導入用管路と，操作部に配設される送液口から延出される送液用管路と，を備える内視鏡の管路構造において，処置具導入用管路より操作部の先端側で処置具挿通用管路へ接続され，かつ送液方向が処置具挿通用管路の先端側に向かう方向に対して鋭角をなしていることを特徴とする，内視鏡の管路構造が提供される。
【発明の効果】
【００１５】
以上説明したように本発明によれば，処置具を使用中でも，送水された洗浄液が処置具導入用管路を伝って処置具導入口側に逆流して処置具導入口から洗浄液等が漏れ出すことなく，十分に挿入部側に送液することの可能な内視鏡を提供できるものである。
【発明を実施するための最良の形態】
【００１６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１７】
まず，内視鏡の全体構成について図面を用いて説明する。図１は，本発明の第１の実施の形態に係る内視鏡１００の全体構成図である。内視鏡１００は，操作部１０２を有し，この操作部１０２には，患者の体内に挿入される挿入部１０４が連設されている。また，操作部１０２からは，光源装置等と接続するためのコネクタ部（図示せず）に接続するためのユニバーサルコード１０６が引き出されている。
【００１８】
挿入部１０４は，操作部１０２への連設部からの大半は，導入部１０８であり，この導入部１０８の先端には，湾曲部１１０が，この湾曲部１１０の先端には，観察機構や送気・送水機構等の内蔵物が備わる先端部１１２が順次連結されている。湾曲部１１０は，先端部１１２を所望の方向に向けるために設けられるものであり，操作部１０２における手元操作で湾曲操作可能となっている。
【００１９】
操作部１０２の先端側には，鉗子やスネア等の処置具を挿入して挿入部１０４内へ導入するための処置具導入口１１４が設けられている。さらに本実施の形態の内視鏡１００では，内視鏡検査時に挿入部１０４を介して被検査体への洗浄水の送水や，色素散布を実行するための送液口１１６が操作部１０２に設けられている。また，操作部１０２には，送気・送水操作をするための送気・送水ボタン１１８，吸引操作をするための吸引ボタン１２０がそれぞれ連設されている。なお，上記の送液口１１６は，使用時の利便性，使い易さから，通常では，処置具導入口１１４から挿入部１０４の先端側を見る方向に対して，操作部１０２の左側に設置されることが好ましい。
【００２０】
次に，本実施の形態に係る内視鏡１００の構成の特徴について，図面を使用しながら説明する。図２は，本実施の形態に係る内視鏡１００の部分断面図であり，図３は，図２のＡ部の拡大図である。なお，図２は，内視鏡１００に備わる吸引機構に関する説明のための図であるので，内視鏡１００に備わる送気・送水機構，観察機構，照明機構等の他の機構に備わる各構成要素に関しては，省略されている。
【００２１】
図２に示すように，内視鏡１００の挿入部１０４内には，鉗子等の処置具を誘導するための処置具挿通用管路１２２が，操作部１０２から挿入部１０４の先端に至るまで設けられている。また，この処置具挿通用管路１２２は，不図示の吸引ポンプと接続される不図示のコネクタ部から延出されるユニバーサルコード１０６内に設けられたコネクタ部側吸引用管路１２４と，接続部材１２６及び不図示の吸引用バルブ等を介して操作部１０２に備わる吸引用管路１２８と接続されることにより，処置時に体液等を吸引する吸引機構の一部となる吸引用チャンネルとしても利用される。また，挿入部１０４に備わる処置具挿通用管路１２２と操作部１０２に備わる処置具導入口１１４から延出される処置具導入用管路１３０及び吸引用管路１２８を接続するため，これらの間には，三股状に分岐した３つの通路を形成した三股状の連結用の分岐ブロック部材である分岐部１３２が設けられている。
【００２２】
そして，本実施の形態に係る内視鏡１００の操作部１０２には，内視鏡検査時に被検査体への洗浄水の送水や色素散布を実行するための送液口１１６から延出される送液用管路１３４が分岐部１３２に接続されて設けられている。この送液用管路１３４が分岐部１３２を介して挿入部１０４に配設されている処置具挿通用管路１２２と接続されているので，吸引用チャンネルとしても使用される処置具挿通用管路１２２が被検査体への洗浄水の送水や色素散布を実行するための送液用チャンネルとして使用することができる。換言すると，挿入部１０４内に配設される処置具挿通用管路１２２は，内視鏡検査時において，鉗子等の処置具を挿通させるための処置具挿通用チャンネルとしてだけでなく，処置時に体液等を吸引する吸引機構の一部となる吸引用チャンネル，及び被検査体への洗浄水の送水や色素散布を実行するための送液用チャンネルとして使用可能になる。
【００２３】
次に，本実施の形態に係る内視鏡１００に備わる送液用管路１３４の分岐部１３２への接続部位の詳細について，図面を使用しながら説明する。図３は，図２のＡ部の拡大図であり，送液用管路１３４の分岐部１３２への接続部位の部分断面図である。送液用管路１３４は，図３に示すように，処置具導入口１１４から延出される処置具導入用管路１２６より操作部１０２の先端側で分岐部１３２に接続されている。換言すると，送液用管路１３４は，分岐部１３２を介して処置具挿通用管路１２２へ接続されている。
【００２４】
また，送液用管路１３４は，この送液用管路１３４の送液方向が処置具挿通用管路１２２の先端側に向かう方向に対してなす角度αが９０度以下，すなわち鋭角となるように分岐部１３２へ接続されている。このような構成とすることにより，送液口１１６から送水された洗浄液等は，送液用管路１３４から接続部１３２を介して処置具挿通用管路１２２の先端側に効率よく送液できるようになる。なお，送液口１１６には，ゴム等で形成された弁部１１６ａが設けられているので，鉗子等の処置具を挿入していないときは，送液口１１６が弁部１１６ａにより閉口された状態となり，処置具を挿入すると送液口１１６が開口されるようになる。
【００２５】
次に，本実施の形態に係る内視鏡１００を使用したときの動作について図面を使用ながら説明する。図４は，本実施の形態に係る内視鏡１００を使用したときの動作説明図であり，（ａ）は，送液口１１６から洗浄液を送液するときの状態を示す図であり，（ｂ）は，送液口１１６から送液後の洗浄液の流水状態を示す図である。
【００２６】
上述したように，本実施の形態に係る内視鏡１００の操作部１０４に備わる送液口１１６から延出される送液用管路１３４は，処置具導入口１１４から延出される処置具導入用管路１３０より分岐部１３２を介して操作部１０４の先端側で処置具挿通用管路１２２へ接続され，かつ送液用管路１３４の送液方向が処置具挿通用管路１２２の先端側に向かう方向に対して鋭角をなし，換言すると送液用管路１３４の送液方向が吸引用管路１２４からの吸引方向と鈍角をなしている。このような構成とすることにより，例えば洗浄液注入手段１３６で送液口１１６から洗浄液を注入した場合，送液用管路１３４を伝った洗浄液は，吸引用管路１２４及び処置具導入用管路１３０側に逆流することなく，効率的に処置具挿通用管路１２２の先端側に向かって送液される。
【００２７】
このため，図４（ａ）に示すように，鉗子等の処置具１３８を処置具導入口１１４から挿入している最中に洗浄液を送液しても，図４（ｂ）に示すように，送液用管路１３４を伝った洗浄液は，処置具導入用管路１３０側に逆流しないで挿入部１０２に配設された処置具挿通用管路１２２側に送液されるようになる。このため，処置具１３８を使用することにより，処置具導入口１１４が開口された状態になっていたとしても，洗浄液が処置具導入口１１４から溢れ出すことを未然に防ぐことが可能になる。すなわち，処置具１３８を使用中に送液しても，送水された洗浄液が処置具導入用管路１３０を伝って処置具導入口１１４側に逆流することなく，十分に挿入部１０２に備わる処置具挿通用管路１２２を介して，挿入部１０２の先端側に送液することができるようになる。
【００２８】
次に，本実施の形態に係る内視鏡１００に備わる処置具挿通用管路１２２に接続される処置具導入用管路１３０と送液用管路１３４の好適な位置関係について，図面を使用しながら説明する。図５は，本実施の形態に係る内視鏡１００に備わる処置具挿通用管路１２２に接続される処置具導入用管路１３０と送液用管路１３４の位置関係を説明するための図であり，挿入部１０４の先端側から処置具導入用管路１３０に接続される処置具導入用管路１３０と送液用管路１３４の接続状態を見た正面図である。なお，図５においては，内視鏡１００に備わる処置具挿通用管路１２２に接続される処置具導入用管路１３０と送液用管路１３４の位置関係を説明するために，処置具挿通用管路１２２，処置具導入用管路１３０，及び送液用管路１３４を簡略化して表記し，これら以外の内視鏡１００の構成要素に関しては，省略している。
【００２９】
本実施の形態に係る内視鏡１００の操作部１０２に設けられる送液用管路１３４は，処置具導入用管路１３０と処置具挿通用管路１２２の周方向に対して鋭角をなす角度となる位置で，処置具挿通用管路１２２と接続されている。換言すると，挿入部１０４の先端側から処置具導入用管路１３０に接続される処置具導入用管路１３０と送液用管路１３４の接続状態を見ると，処置具導入用管路１３０の中心線Ｌ１０と送液用管路１３４の中心線Ｌ２０となす角度は，９０度以下すなわち鋭角をなすようにして，処置具導入用管路１３０及び送液用管路１３４は，処置具挿通用管路１２２と分岐部（図５では，省略）を介して接続されている。
【００３０】
このような条件で送液用管路１３４が処置具挿通用管路１２２と分岐部を介して接続されていれば，送液用管路１３４の位置は，図５に示すように処置具導入用管路１３０に対して左側（図５における１３４ａ）に位置していても，右側（図５における１３４ｂ）に位置していてもよい。ただし，前述したように送液用管路１３４の操作部１０２側への開口部となる送液口１１６が使用時の利便性，使い易さから，通常では，処置具導入口１１４から挿入部１０４の先端側を見る方向に対して，操作部１０２の左側に設置されることが好ましい，換言すると，図５においては，処置具導入用管路１３０に対して右側（図５における１３４，１３４ｂ）に位置している方が好ましい。
【００３１】
このような構成とすることにより，処置具導入口１１６から処置具を挿入して処置具挿通用管路１２２へ挿通させる際に，送液用管路１３４と処置具挿通用管路１２２との接続部位の内側に形成される凹部に処置具が引っかからなくなるので，処置具を使用しながらの内視鏡検査における作業効率の低下を防止できる。
【００３２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００３３】
例えば，第１の実施の形態では，送液用管路は，処置具導入用管路と分岐部との接続部位よりも先端部側の位置に有する部位で同一の分岐部と接続されているが，送液用管路が処置具導入用管路より先端部側の位置となる部位で処置具挿通用管路に接続され，かつ送液用管路の送液方向が処置具挿通用管路の先端側に向かう方向に対して鋭角をなすように構成されていれば，同一の分岐部を介して処置具挿通用管路に接続されなくても，上記の第１の実施の形態の内視鏡と同様の効果が得られる。
【産業上の利用可能性】
【００３４】
本発明は，送液用管路を備える内視鏡に適用可能であり，特に医療用に使用される内視鏡の操作部内の管路構造に適用可能である。
【図面の簡単な説明】
【００３５】
【図１】図１は，本発明の第１の実施の形態に係る内視鏡の全体構成図である。
【図２】図２は，同実施の形態に係る内視鏡の部分断面図である。
【図３】図３は，図２のＡ部の拡大図である。
【図４】図４は，同実施の形態に係る内視鏡を使用したときの動作説明図であり，（ａ）は，送液口から洗浄液を送液するときの状態を示す図であり，（ｂ）は，送液口から送液後の洗浄液の流水状態を示す図である。
【図５】図５は，同実施の形態に係る内視鏡に備わる処置具挿通用管路に接続される処置具導入用管路と送液用管路の位置関係を説明するための図であり，挿入部の先端側から処置具導入用管路に接続される処置具導入用管路と送液用管路の接続状態を見た正面図である。
【図６】図６は，従来の送液管路を備えた内視鏡を使用したときの動作説明図であり，（ａ）は，送液口から洗浄液を送液するときの状態を示す図であり，（ｂ）は，送液口から送液後の洗浄液の流水状態を示す図である。
【符号の説明】
【００３６】
１００      内視鏡
１０２      操作部
１０４      挿入部
１０６      ユニバーサルコード
１０８      導入部
１１０      湾曲部
１１２      先端部
１１４      処置具導入口
１１６      送液口
１１８      送気・送水ボタン
１２０      吸引ボタン
１２２      処置具挿通用管路
１２４      コネクタ部側吸引用管路
１２６      接続部材
１２８      吸引用管路
１３０      処置具導入用管路
１３２      分岐部
１３４      送液用管路
１３６      洗浄液注入手段
１３８      処置具
【図１】
2005185522.tif 000003
【図２】
2005185522.tif 000004
【図３】
2005185522.tif 000005
【図４】
2005185522.tif 000006
【図５】
2005185522.tif 000007
【図６】
2005185522.tif 000008